(57)【要約】【課題】  連続撮影した際、不要な画像データを蓄積せずに、記憶部や記録媒体の容量が早期に少なくなってしまうことを防止できる撮像機能付き携帯端末装置を提供する。【解決手段】  １コマごとの撮影及び連続撮影を選択的に行なうことができる撮像部４と、該撮像部により撮影した画像データを表示する表示部１８と、撮像部及び前記表示部に対する操作を行なうことができる操作部１４と、撮像部により撮影した画像データを一時的に記憶するバッファ部６と、撮像部により撮影した画像データを継続的に記憶する記憶部８と、撮像部により連続撮影が行なわれるごとに、前記バッファ部に記憶される連続撮影された複数の画像データを一覧にして、この一覧の中から特定の画像データを前記操作部により選択することができるように前記表示部に表示させる制御動作を行なう制御部２０とを備えるようにした。【選択図】      図４
2005136855.tif 000002
【特許請求の範囲】
【請求項１】
１コマごとの撮影及び連続撮影を選択的に行なうことができる撮像部と、
該撮像部により撮影した画像データを表示する表示部と、
前記撮像部及び前記表示部に対する操作を行なうことができる操作部と、
前記撮像部により撮影した画像データを一時的に記憶するバッファ部と、
前記撮像部により連続撮影が行なわれるごとに、前記バッファ部に記憶される連続撮影された複数の画像データを一覧にして、この一覧の中から特定の画像データを前記操作部により選択することができるように前記表示部に表示させる制御動作を行なう制御部と
を備えることを特徴とする撮像機能付き携帯端末装置。
【請求項２】
前記撮像部により撮影した画像データを継続的に記憶する記憶部を有し、
前記操作部により前記表示部に表示された前記複数の画像データの中から特定の画像データを選択してこれを保存する操作が行われた場合には、
前記制御部は前記特定の画像データを静止画像データとして前記記憶部に記憶させるとともに、
前記操作部により前記表示部に表示された前記複数の画像データの全てを保存する操作が行われた場合には、
前記制御部は前記複数の画像データを結合してアニメーションデータを生成させ、当該アニメーションデータを前記記憶部に記憶させる制御動作を行うようにしたことを特徴とする請求項１に記載の撮像機能付き携帯端末装置。
【請求項３】
前記アニメーションデータを前記記憶部に記憶するにあたり、
前記制御部は前記バッファ部に記憶された複数の画像データのデータ総合量と前記記憶部の空き容量とを比較し、前記データ総合量よりも前記空き容量の方が小さいときは、削除する静止画像データまたはアニメーションデータを選択することができるように、記憶部に記憶されている静止画像データまたはアニメーションデータを前記表示部に表示させるとともに、
前記データ総合量よりも前記空き容量の方が大きいときは、前記バッファ部に記憶されている複数の画像データを結合してアニメーションデータを生成し、当該アニメーションデータを前記記憶部に記憶させる制御動作を行うようにしたことを特徴とする請求項２に記載の撮像機能付き携帯端末装置。
【発明の詳細な説明】
【技術分野】
【０００１】
本発明は、１コマごとの撮影及び連続撮影を行なうことができる撮像部を備えて、この撮像部により撮影した画像データを記憶部に保存しておくことができる撮像機能付き携帯端末装置に関するものである。
【背景技術】
【０００２】
従来から、ＣＣＤ（Ｃｈａｒｇｅ  Ｃｏｕｐｌｅｄ  Ｄｅｖｉｃｅ）カメラ等の撮像部を備えて、撮像機能を利用することができる携帯電話機やＰＤＡ（Ｐｅｒｓｏｎａｌ  Ｄｉｇｉｔａｌ  Ａｓｓｉｓｔａｎｔｓ）等の撮像機能付き携帯端末装置が実用化されている。
【０００３】
このような撮像機能付き携帯端末装置の撮像部には、１コマごとの撮影の他に、連続撮影を行なうことができるようになっているものがある。連続撮影を行なった場合には、１回の撮影動作で撮影した複数の画像データの中から、上手に撮影されたものだけを選択して、これを保存したり編集作業の対象にしたりすることができると便利である。
【０００４】
しかしながら、このような連続撮影を行なった後は、利用しない不要な画像データを削除する手間が煩わしく、記憶部に保存したままにすることが多い。このような不要な画像データを必要な画像データと区別せずに蓄積していくと、これに伴なって記憶部の記憶容量の消費量も飛躍的に増大していく。そのため、記憶部の記憶容量が早期に少なくなってしまうという問題があった。
【０００５】
記憶部の記憶容量が早期に少なくなってしまった場合には、撮像機能にも障害が生じることがある。例えば、記憶容量を早期に消費してしまい、残りの記憶容量が画像データ１０枚分に満たないような場合には、１０枚連続撮影してそのうちの１枚だけを保存するようなつもりであっても、記憶容量が足りないために１０枚分の連続撮影そのものができなくなってしまう。
【０００６】
一方、このような撮像機能付き携帯端末装置とは別に、電子カメラにおいても、記憶媒体の容量が少なくなって連続撮影ができなくなるというような同様の問題が発生していた。そのため、このような問題を解決するために、撮影した画像データを一時的に記憶するバッファ部を設けるようにした電子カメラがあった（例えば、特許文献１参照）。
【０００７】
この電子カメラは、連続撮影を行なった後に、バッファ部に一時的に記憶されている連続撮影の画像データの合計サイズを、記録媒体の残容量と比較してから記録媒体に記録する記録方式を採用している。
【０００８】
そして、画像データの合計サイズの方が記憶媒体の残容量よりも大きい場合には、これらを記録媒体に記録することなく、その旨をユーザーに通知すると共に、バッファ部に記憶されている画像データのうち、ユーザーからの記録指定があった画像データのみを記録媒体に記録するようになっている。
【特許文献１】特開２００１−１８６３９７号公報
【発明の開示】
【発明が解決しようとする課題】
【０００９】
しかしながら、このようにバッファ部に記憶されている画像データの合計サイズを、記録媒体の残容量と比較してから記録媒体に記録するような記録方式は、記録媒体の容量が少なくなってきたような場合になって、初めてその効果を奏するようになる。
【００１０】
したがって、このような電子カメラの記録方式を撮像機能付き携帯端末装置に応用しても、不要な画像データが蓄積されていくことにより、記憶部の容量を早期に消費してしまうという根本的な問題の解決には至らなかった。
【００１１】
そこで本発明は、上記問題点に鑑みて、連続撮影した際、又は連続撮影した画像データについての編集等を行なった際に、不要な画像データを蓄積せずに、記憶部や記録媒体の容量が早期に少なくなってしまうことを防止することができる撮像機能付き携帯端末装置を提供することを課題とするものである。
【課題を解決するための手段】
【００１２】
上記課題を解決するために、本発明による撮像機能付き携帯端末装置は、
１コマごとの撮影及び連続撮影を選択的に行なうことができる撮像部と、
該撮像部により撮影した画像データを表示する表示部と、
前記撮像部及び前記表示部に対する操作を行なうことができる操作部と、
前記撮像部により撮影した画像データを一時的に記憶するバッファ部と、
前記撮像部により連続撮影が行なわれるごとに、前記バッファ部に記憶される連続撮影された複数の画像データを一覧にして、この一覧の中から特定の画像データを前記操作部により選択することができるように前記表示部に表示させる制御動作を行なう制御部とを備えることを特徴とするものである。
【００１３】
また、本発明による撮像機能付き携帯端末装置は、
前記撮像部により撮影した画像データを継続的に記憶する記憶部を有し、
前記操作部により前記表示部に表示された前記複数の画像データの中から特定の画像データを選択してこれを保存する操作が行われた場合には、
前記制御部は前記特定の画像データを静止画像データとして前記記憶部に記憶させるとともに、
前記操作部により前記表示部に表示された前記複数の画像データの全てを保存する操作が行われた場合には、
前記制御部は前記複数の画像データを結合してアニメーションデータを生成させ、当該アニメーションデータを前記記憶部に記憶させる制御動作を行うようにすることができる。
【００１４】
また、本発明による撮像機能付き携帯端末装置は、
前記アニメーションデータを前記記憶部に記憶するにあたり、
前記制御部は前記バッファ部に記憶された複数の画像データのデータ総合量と前記記憶部の空き容量とを比較し、前記データ総合量よりも前記空き容量の方が小さいときは、削除する静止画像データまたはアニメーションデータを選択することができるように、記憶部に記憶されている静止画像データまたはアニメーションデータを前記表示部に表示させるとともに、
前記データ総合量よりも前記空き容量の方が大きいときは、前記バッファ部に記憶されている複数の画像データを結合してアニメーションデータを生成し、当該アニメーションデータを前記記憶部に記憶させる制御動作を行うようにすることができる。
【発明の効果】
【００１５】
このような本発明による撮像機能付き携帯端末装置によれば、連続撮影した際、又は連続撮影した画像データについての編集等を行なった際、ユーザーは直ちにその画像データの要否を判断することができるので、不要な画像データを蓄積せずに、記憶部や記録媒体の容量が早期に少なくなってしまうことを防止することができる。
【発明を実施するための最良の形態】
【００１６】
以下、本発明の実施の形態について、図面に基づいて具体的に説明する。
図１ないし図１０は、本発明の一実施の形態に係る携帯電話機２（撮像機能付き携帯端末装置に相当）について説明するために参照する図である。
【００１７】
図１は、携帯電話機２の回路構成を示すブロック図である。携帯電話機２は、撮像部４としてのＣＣＤカメラ４ａとＡ／Ｄ変換器４ｂ、バッファ部６、記憶部８、スピーカー１０、マイクロホン１２、操作部１４、通信部１６、ＬＣＤ（液晶ディスプレイ）等の表示部１８、これらを制御する制御部２０、及び各部の処理動作のタイミングを同期させるクロック２２とを有している。ここで、スピーカー１０、マイクロホン１２、及び通信部１６の動作は、従来の一般的な携帯電話機と同様であるので、その説明は省略する。
【００１８】
撮像部４は、撮影した画像データをデジタル形式でバッファ部６に出力するようになっている。すなわち、図２に示すように、ＣＣＤカメラ４ａにより撮影した画像データは、Ａ／Ｄ変換器４ｂによりアナログ形式からデジタル形式のデータ部２８に変換されると共に、制御情報としての静止画ヘッダー３０及びフッター３２が付加されて、バッファ部６に出力される。
【００１９】
画像データの静止画ヘッダー３０には、制御情報として、画像データの先頭を表すＳＯＩ（Ｓｔａｒｔ  Ｏｆ  Ｉｍａｇｅ）の符号の他に、画像データに関するデータ長、種別、タイトル、拡張子、撮影日時、更新日時が記録されるようになっている。また、フッター３２には、ＥＯＩ（Ｅｎｄ  Ｏｆ  Ｉｍａｇｅ）の符号が記録されるようになっている。
【００２０】
また、図１に示すバッファ部６には、撮像部４から出力された画像データが一時的に記憶されるようになっている。撮像部４が連続撮影を行なった場合には、連続撮影された複数の画像データの全てが、バッファ部６に一時的に記憶されるようになっている。
【００２１】
操作部１４は、カーソルキー１４ａ、テンキー１４ｂ、オフフックキー１４ｃ、オンフックキー１４ｄ、及びシャッターキー１４ｅを備えるようになっている。オフフックキー１４ｃ及びオンフックキー１４ｄは、この携帯電話機２の電話機能等を利用する場合などに用いられるが、特にオンフックキー１４ｄは、各種の機能の動作を中断させたり、操作をキャンセルする場合にも用いられる。
【００２２】
また、カーソルキー１４ａは、表示部１８上のカーソルや項目等を上下左右方向に動かすことができるようになっており、表示部１８に表示される項目等を選択する操作に使用することができる。シャッターキー１４ｅは、撮像部４を機能させているときにのみ動作し、撮像部４に撮影動作を行なわせるようになっているものである。
【００２３】
また、この携帯電話機２は、撮像機能を利用する場合には、１コマごとの撮影か、又は連続撮影のいずれかを選択するようになっていて、１コマごとの撮影を行なう場合にはテンキー１４ｂの「１」のキーを操作することによって、また連続撮影を行なう場合にはテンキー１４ｂの「２」から「９」のいずれかのキーを操作することによって、連写する枚数の指定と共に選択するようになっている。
【００２４】
記憶部８は、撮影した画像データ、又は撮影後に編集した画像データを継続的に記憶するようになっている。記憶部８に記憶された画像データは、操作部１４による削除の操作が行なわれない限り消去されないようになっている。
【００２５】
表示部１８は、特に撮像部４が機能しているときには、シャッターキー１４ｅが操作されて撮像部４が撮影動作を行なうまで、撮影画像を映し出すファインダーとして動作するようになっており、撮像部４が撮影動作を行なった後は、撮影されてバッファ部６に一時的に記憶されている画像データを表示するようになっている。
【００２６】
制御部２０は、１コマごとの撮影を行なった後は、バッファ部６に記憶された１コマの画像データを、図３に示すように、表示部１８の中段４０に表示させると共に、この画像データの保存、削除、又は編集作業の処理を速やかに開始することができるように、「保存」、「削除」、及び「編集」の操作内容項目を、表示部１８の下段４２に表示させるようになっている。
【００２７】
また、連続撮影を行なった後は、バッファ部６に記憶された画像データの一覧を、図４に示すように、表示部１８の中段４０に表示させる。そして、表示部１８の中段４０に表示される画像データの一覧の中からユーザーが選択した画像データごとに、その保存、削除、又は編集作業の処理を速やかに開始することができるように、「保存」、「削除」、及び「編集」の操作内容項目を、表示部１８の下段４２に表示させるようになっている。
【００２８】
表示部１８の中段４０に表示される画像データの一覧の中から、保存又は削除する画像データ、或いは編集作業の対象となる画像データを選択する操作は、操作内容項目を選択する操作と同様に、操作部１４のカーソルキー１４ａにより行なうことができるようになっている。
【００２９】
そして、制御部２０は、操作部１４からの操作に基づいて、バッファ部６に記憶されている画像データを記憶部８に複写したり、この画像データをバッファ部６から削除したりすることができるようになっている。
【００３０】
また、図示しないが、表示部１８に表示されている画像データに対して、ユーザーの操作により、装飾された模様でこの画像データの被写体等を枠状に囲むフレームの付加、テキスト文の入力、及びこのテキスト文の背景を無地にしてこれを風船のような形状の枠で囲む吹出しの追加等の編集作業が行なわれた場合には、制御部２０はこの編集作業に対応して、バッファ部６に記憶されている画像データの内容を変更するようになっている。
【００３１】
また、バッファ部６に複数の画像データが記憶されているときに、アニメーションデータ作成の操作が行なわれた場合には、制御部２０は、バッファ部６に記憶されている複数の画像データからアニメーションデータを作成して、これを記憶部８に記憶させることができるようになっている。
【００３２】
ここでアニメーションデータとは、スクリーンセーバやパラパラ漫画等に用いるデータのことであり、スクリーンセーバとは、一定時間以上の間、携帯電話機２の操作が全く行なわれなかったときに、再び何等かの操作が行なわれるまでの間、表示部１８に複数の画像を順番に繰り返して表示するようにしたアプリケーションのことをいう。
【００３３】
例えば、スクリーンセーバのデータは、図２に示す複数の画像データから、静止画ヘッダー３０及びフッター３２を除去して、図５に示すように、各画像データのデータ部２８のみを連結させてデータ集合部５０を形成した後、これにスクリーンセーバヘッダー５２及びフッター５４を付加して作成されるようになっている。
【００３４】
制御情報としてのスクリーンセーバヘッダー５２には、静止画ヘッダー３０と同様に、スクリーンセーバのデータの先頭を表すＳＯＩの符号の他、スクリーンセーバ全体のデータに関するデータ長、種別、タイトル、拡張子、撮影日時、更新日時が記録されるようになっている。また、フッター５４には、静止画のフッター３２と同様に、ＥＯＩの符号が記録されるようになっている。
【００３５】
また、制御部２０は、スクリーンセーバを作成する前には、バッファ部６の画像データの総合量と記憶部８の空き容量を比較して、バッファ部６の画像データの総合量の方が大きいときには、その旨を表示部１８に表示させるようになっている。
【００３６】
そして、図示しないが、記憶部８に記憶されている画像データやスクリーンセーバのデータの一覧を表示部１８に表示させて、これらの中から不要なものをユーザーが選択することができるようにし、その選択が行なわれた場合には、その画像データ又はスクリーンセーバのデータを記憶部８から消去して、空き容量を拡大する動作を行うようになっている。
【００３７】
次に、携帯電話機２の撮影の動作、及び撮影した画像データの保管や編集作業等の動作を、図６ないし図１０のフローチャートに基づいて説明する。
【００３８】
撮影を行なう場合には、まず操作部１４からの入力操作により撮像機能を起動させる（図６のステップＳ１０１）。このような撮像機能を起動させるための操作は、図示しないが、表示部１８に表示されるメニュー項目の中から撮像機能の項目を選択することにより行なう。
【００３９】
撮像機能を起動させると、制御部２０は、表示部１８をファインダーとして機能させて、撮像部４のレンズが捕えた映像を表示部１８に映し出す（表示させる）ようになっているので、ユーザーは、この映像により被写体や構図を確認することができるようになる。
【００４０】
撮像機能を起動させた後は、この撮像機能を終了するかどうか、或いは、撮像機能の動作を継続して、撮像部４により１コマごとの撮影を行なうか、又は連続撮影を行なうかについての選択操作を行なうようになっている（ステップＳ１０２、Ｓ１０３、Ｓ１０４）。
【００４１】
また、この携帯電話機２は、後述するように、撮影後その画像データをバッファ部６から消去するたびに、このステップＳ１０２に戻って、撮像機能を終了させるかどうかの判断を行なうようになっている。
【００４２】
このステップＳ１０２において、オンフックキー１４ｄが操作された場合には、撮像機能を終了する（ステップＳ１０２のＹＥＳ）。また、テンキー１４ｂの「１」のキーが操作された場合には（ステップＳ１０２のＮＯ、Ｓ１０３のＹＥＳ）、撮像部４は１コマごとの撮影を行なうようにする。テンキー１４ｂの「２」ないし「９」のキーが操作された場合には（ステップＳ１０２のＮＯ、Ｓ１０３のＮＯ、Ｓ１０４のＹＥＳ）、撮像部４はこのキーの数字を指定枚数として９枚以下の連続撮影を行なうようにする。
【００４３】
１コマごとの撮影を行なうように選択された場合には（ステップＳ１０３のＹＥＳ）、図７のステップＳ２０１に移行し、制御部２０はシャッターキー１４ｅが操作されたときに（ステップＳ２０１のＹＥＳ）、撮像部４に１コマの撮影動作を行なわせる（ステップＳ２０２）。
【００４４】
撮像部４により撮影された画像データは、図２に示すように、アナログ形式からデジタル形式に変換されてデータ部２８に変換されると共に、静止画ヘッダー３０及びフッター３２が付加されて、バッファ部６に記憶される（図７のステップＳ２０２）。
【００４５】
制御部２０は、図３に示すように、バッファ部６に記憶された画像データを直ちに表示部１８の中段４０に表示させると共に、表示部１８の下段４２に「保存」、「削除」、及び「編集」の操作内容項目を表示させる。ユーザーは操作部１４のカーソルキー１４ａ等の操作により、これらの操作内容項目のいずれかを直ちに選択することができる。
【００４６】
ユーザーが、操作内容項目の中から「保存」の項目を選択及び決定した場合には（ステップＳ２０３のＹＥＳ）、制御部２０は、バッファ部６に記憶されている画像データを記憶部に複写した後（ステップＳ２０４）、バッファ部６の画像データを消去して（ステップＳ２０５）、この画像データに関する処理を終了し、次の撮影準備のために図６のステップＳ１０２に戻る。
【００４７】
ユーザーが「削除」の項目を選択した場合には（図７のステップＳ２０３のＮＯ、Ｓ２０６のＹＥＳ）、制御部２０はバッファ部６に記憶されている画像データを消去して（ステップＳ２０７）、この画像データに関する処理を終了する。そして、次の撮影準備のために図６のステップＳ１０２に戻る。
【００４８】
また、ユーザーが「編集」の項目を選択した場合には（図７のステップＳ２０３のＮＯ、ステップＳ２０６のＮＯ、Ｓ２０８のＹＥＳ）、制御部２０はこの画像データについての編集作業を行なうことができるようにするため、図３に示すような表示部１８の下段４２の「保存」、「削除」、及び「編集」の操作内容項目に代えて、「フレーム付加」、「テキスト文入力」、及び「吹出し追加」等の編集作業項目（不図示）を表示させる。
【００４９】
ユーザーは、この編集作業項目の中からいずれかの項目を選択及び決定することにより、この画像データに対してフレーム追加、テキスト文入力、及び吹出し追加等の編集作業を直ちに開始することができる（ステップＳ２０９）。
【００５０】
編集作業が終了するとステップＳ２０３に戻り、表示部１８の中段４０には編集後の画像データが表示されると共に、その下段４２には再び図３のように、「保存」、「削除」、及び「編集」の操作内容項目が表示されるので、ユーザーは編集後の画像データの要否等を判断して、直ちにいずれかの項目を選択及び決定することができる。
【００５１】
なお、誤操作の防止のために、ステップＳ２０３、Ｓ２０６、又はＳ２０８において、操作内容項目の中から「保存」、「削除」又は「編集」のいずれかの項目を選択した後に、表示部に「保存しますか？」、「削除しますか？」、又は「編集しますか？」等の案内を表示して、ユーザーに確認の入力操作を行なわせるようになっていてもよい。
【００５２】
次に、図６のステップＳ１０４において、テンキー１４ｂの「２」ないし「９」のいずれかのキーの操作により撮影枚数と共に、連続撮影が選択された場合の動作について説明する。
【００５３】
連続撮影が選択された場合には（ステップＳ１０４のＹＥＳ）、図８のステップＳ３０１に移行し、制御部２０は、シャッターキー１４ｅが操作されたときに（図８のステップＳ３０１のＹＥＳ）、撮像部４に指定枚数分の撮影動作を行なわせる（ステップＳ３０２）。
【００５４】
撮像部４により撮影された画像データは、１コマごとの撮影と同様に、図２に示すように、それぞれの画像データごとにアナログ形式からデジタル形式に変換されてデータ部２８に変換されると共に、静止画ヘッダー３０及びフッター３２が付加されて、バッファ部６に記憶される（ステップＳ３０２）。
【００５５】
そして、制御部２０は、図４に示すように、バッファ部６に記憶された画像データの一覧を直ちに表示部１８の中段４０に表示させると共に、その下段４２に「保存」、「削除」、及び「編集」の操作内容項目を表示させる。（ステップＳ３０３）。
【００５６】
ユーザーが、これらの画像データの中から保存しようとする、１枚又は複数枚の画像データを選択すると共に（図８のステップＳ３０４のＹＥＳ）、操作内容項目の中から「保存」の項目を選択及び決定したときには（図９のステップＳ４０１のＹＥＳ）、ステップＳ３０４において表示部１８に表示される複数の画像の全部が選択されていた場合を除いて（ステップＳ４０２のＮＯ）、制御部２０は、選択された画像データをバッファ部６から記憶部８に複写した後（ステップＳ４０３）、バッファ部６の全ての画像データを消去して（ステップＳ４０４）、これらの画像データに関する処理を終了し、次の撮影準備のために図６のステップＳ１０２に戻る。
【００５７】
また、ステップＳ３０４において全部の画像を選択していて、操作内容項目の中から「保存」の項目を選択及び決定したときには（図９のステップＳ４０１のＹＥＳ、ステップＳ４０２のＹＥＳ）、ユーザーはステップＳ３０４において選択した全部の画像をスクリーンセーバのデータとして保存することを望んでいるものとして、図８のステップＳ３０６に移行するようになっている。      
【００５８】
ここで、複数の枚数を連続撮影したような場合でも、バッファ部６に記憶されている画像データについて後述する削除の操作を繰り返すことにより、画像データが１つしか残らないというようなことが有り得る。このような場合には、２つ以上の画像データを合成してスクリーンセーバのデータを作成することができないため、スクリーンセーバのデータ作成以外の他の操作を行なうことができるようにするため、ステップＳ３０４に戻るようになっている（ステップＳ３０６のＮＯ）。
【００５９】
制御部２０は、バッファ部６に記憶されている画像データが２つ以上あることを確認した後（ステップＳ３０６のＹＥＳ）、バッファ部６に記憶されている複数の画像データの総合量と記憶部８の空き容量を比較する（図１０のステップＳ５０１）。
【００６０】
バッファ部６に記憶された画像データの総合量よりも記憶部８の空き容量の方が小さい場合には（ステップＳ５０１のＮＯ）、記憶部８にすでに記憶されている画像データやスクリーンセーバのデータの中から、いずれか不要なものを削除することにより、空き容量を確保することができるようにする（ステップＳ５０５）。
【００６１】
そのため、図示しないが、表示部１８に「データがいっぱいです。消去しますか？」等の通知と共に、記憶部８にすでに記憶されている画像データやスクリーンセーバのデータを一覧にして表示し、削除してもかまわないものを、ユーザーが操作部１４のカーソルキー１４ａ等の操作により選択することができるようにする。
【００６２】
制御部２０は、ユーザーの操作により選択された画像データやスクリーンセーバのデータを記憶部から消去して（ステップＳ５０５）、再度バッファ部６に記憶されている複数の画像データの総合量と記憶部８の空き容量を比較する（ステップＳ５０１）。このような動作は、バッファ部６に記憶されている画像データの総合量よりも、記憶部８の空き容量の方が大きくなるまで続けられる。      
【００６３】
バッファ部６に記憶された画像データの総合量よりも記憶部８の空き容量の方が大きい場合には（ステップＳ５０１のＹＥＳ）、制御部２０はバッファ部６の複数の画像データを編集して、図５に示すようなスクリーンセーバのデータを作成する（ステップＳ５０２）。
【００６４】
そして、制御部２０は、このスクリーンセーバのデータを記憶部８に記憶させた後（図１０のステップＳ５０３）、バッファ部６の画像データを全て消去して（ステップＳ５０４）、これらの画像データに関する処理を終了し、次の撮影準備のために図６のステップＳ１０２に戻る。
【００６５】
また、図８のステップＳ３０４において、ユーザーが、表示部１８の中段４０の画像データの一覧の中から削除しようとする、１枚又は複数の枚数の画像データを選択すると共に（ステップＳ３０４のＹＥＳ）、操作内容項目の中から「削除」の項目を選択した場合には（図９のステップＳ４０１のＮＯ、Ｓ４０５のＹＥＳ）、制御部２０は、選択された画像データをバッファ部６から消去すると共に、表示部１８からもその画像データを消去する（ステップＳ４０６）。
【００６６】
さらにこの状態において、表示部１８の残りの画像データの中から特定の画像データを選択する操作を伴なわずに、操作内容項目の中から「保存」の項目が選択されると（ステップＳ４０８のＹＥＳ）、制御部２０はこの残りの画像データをバッファ部６から記憶部８に複写した後（ステップＳ４０９）、バッファ部６の全ての画像データを消去して（ステップＳ４１０）、これらの画像データに関する処理を終了し、次の撮影準備のために図６のステップＳ１０２に戻るように動作する。
【００６７】
ここで、図８のステップＳ３０４において、表示部１８の画像データの全てが選択されると共に、「削除」の項目が選択されたような場合には（図９のステップＳ４０１のＮＯ、Ｓ４０５のＹＥＳ）、図９のステップＳ４０７において、バッファ部６には画像データが残らないため、直ちに次の撮影準備（図６のステップＳ１０２）に戻ることができる。
【００６８】
また、図８のステップＳ３０４において、ユーザーが、表示部１８の中段４０の画像データの一覧の中から編集作業の対象となる１枚の画像データを選択すると共に（ステップＳ３０４のＹＥＳ）、操作内容項目の中から「編集」の項目を選択した場合には（図９のステップＳ４０１のＮＯ、Ｓ４０５のＮＯ、Ｓ４１１のＹＥＳ）、制御部２０は、対象となる画像データについての編集作業を行なうことができるようにするため、前記１コマごとの撮影後に編集作業を行なう場合の処理動作と同様に、表示部１８にこの画像データのみが表示されるようにすると共に、図４に示すような表示部１８の下段４２の「保存」、「削除」、「編集」の操作内容項目に代えて、「フレーム付加」、「テキスト文入力」、「吹出し追加」の編集作業項目（不図示）を表示させることができる。
【００６９】
ユーザーは、この編集作業項目の中からいずれかの項目を選択及び決定することにより、この画像データに対してフレーム追加、テキスト文入力、及び吹出し追加等の編集作業を直ちに開始することができる（図９のステップＳ４１３）。
【００７０】
また、図８のステップＳ３０４において、表示部１８の画像データの一覧の中から２枚以上の画像データが選択されていたような場合には、編集作業の対象となる１枚の画像データが特定されないので、図９のステップＳ４１２においてこれを判断し、１枚の画像データを選択するように促す案内を表示部１８に表示すると共に、図８のステップＳ３０４に戻るようになっている。
【００７１】
編集作業が終了したときには、図８のステップＳ３０３に戻り、表示部１８の中段４０には編集後の画像データを含む６枚の画像データが一覧表示されると共に、その下段４２には再び図５のように、「保存」、「削除」、及び「編集」の項目が表示されて、ユーザーは、いずれかの操作内容項目を直ちに選択及び決定することができる。
【００７２】
また、図８のステップＳ３０４において、図４に示すような表示部１８の画像データの一覧の中からいずれの画像データも選択されずに（図８のステップＳ３０４のＮＯ）、操作内容項目の中から「編集」の項目が選択された場合には（ステップＳ３０５のＹＥＳ）、制御部２０は、図８のステップＳ３０６及び図１０のステップＳ５０１ないしＳ５０５において、スクリーンセーバのデータを作成するようになっている。
【００７３】
このような撮像機能付き携帯電話機２によれば、連続撮影した際、又は連続撮影した画像データについての編集等を行なった際、ユーザーは直ちにその画像データの要否を判断することができるので、不要な画像データを蓄積せずに、記憶部や記録媒体の容量が早期に少なくなってしまうことを防止することができる。
【００７４】
また、連続撮影した複数の画像全てを選択して保存する場合、自動的にアニメーションデータを生成して記憶部に記憶するようにしたので、アニメーションデータの作成を容易に行なうことができる。
【００７５】
なお、本実施の形態においては、スクリーンセーバを作成する場合に必要な画像データの枚数を特に定めなかったが、予めユーザーにより所定の枚数に定められていて、その所定の枚数以上で連続撮影した場合には、連続撮影した画像データのうち最初の所定枚数分により、スクリーンセーバを作成して、残りの画像データは消去されるようになっていてもよい。また、このような場合には、連続撮影した画像データの枚数が、所定の枚数に達していないときには、スクリーンセーバを作成する操作を行なったときに、これらの画像データの全てを、そのままの状態で記憶部に記憶するようにするようになっていてもよい。
【００７６】
また、本実施の形態は、携帯電話機について説明したが、撮像機能を備えたＰＤＡ（Ｐｅｒｓｏｎａｌ  Ｄｉｇｉｔａｌ  Ａｓｓｉｓｔａｎｔ）等の他の撮像機能付き携帯端末装置についても、本発明を適用することができることはいうまでもない。
【図面の簡単な説明】
【００７７】
【図１】本発明の一実施の形態に係る携帯電話機２の回路構成を示すブロック図である。
【図２】図１におけるバッファ部６に記憶される画像データのデータ構造を示す概念図である。
【図３】図１における表示部１８に表示される画像データ及び操作内容項目を示す図である。
【図４】図１における表示部に表示される画像データの一覧及び操作内容項目を示す図である。
【図５】図１における記憶部８に記憶されるスクリーンセーバのデータのデータ構造を示す概念図である。
【図６】本発明の一実施の形態に係る携帯電話機２の動作手順を示すフローチャートである。
【図７】本発明の一実施の形態に係る携帯電話機２の動作手順を示すフローチャートである。
【図８】本発明の一実施の形態に係る携帯電話機２の動作手順を示すフローチャートである。
【図９】本発明の一実施の形態に係る携帯電話機２の動作手順を示すフローチャートである。
【図１０】本発明の一実施の形態に係る携帯電話機２の動作手順を示すフローチャートである。
【符号の説明】
【００７８】
２  携帯電話機
４  撮像部
４ａ  ＣＣＤカメラ
４ｂ  Ａ／Ｄ変換器
６  バッファ部
８  記憶部
１０  スピーカー
１２  マイクロホン
１４  操作部
１４ａ  カーソルキー
１４ｂ  テンキー
１４ｃ  オフフックキー
１４ｄ  オンフックキー
１４ｅ  シャッターキー
１６  通信部
１８  表示部
２０  制御部
２２  クロック
２８  データ部
３０  静止画ヘッダー
３２  フッター
４０  中段
４２  下段
５０  データ集合部
５２  スクリーンセーバヘッダー
５４  フッター
【図１】
2005136855.tif 000003
【図２】
2005136855.tif 000004
【図３】
2005136855.tif 000005
【図４】
2005136855.tif 000006
【図５】
2005136855.tif 000007
【図６】
2005136855.tif 000008
【図７】
2005136855.tif 000009
【図８】
2005136855.tif 000010
【図９】
2005136855.tif 000011
【図１０】
2005136855.tif 000012